(57)【要約】【課題】  適合した鍵あるいは送信機デバイスを忘れずに携帯しなければならない、また、侵入するためのアクセス・コードを忘れてはならないという不自由を解決すること。【解決手段】  アクセス制御システムは、ユーザによって持ち歩きされ、ショートレンジ・ワイヤレスリンクを介して、ドア錠制御器（12）との間で通信するタグ（20）を含む。この制御器に、安全性・アクセス・コードを提供することによって、ドア解放手段（11）が作動する。結局、適切なアクセス・コードが、タグ（20）に知られていない場合には、タグ（20）は、アクセス・コード・データ格納部（30）との間で通信し、有効なアクセス・コードを要求する。有効なアクセス・コードの要求時に、タグは、データ格納部との間で、ドア開放手段（11）に提供される識別データおよびタグ（20）自身の識別データについても通信する。そして、ドア開放手段（11）に対して、有効なアクセス・コードを提供するかの決定が行われる。ドア解放手段（11）は、タグ（20）に、データ格納部（30）への要求時に、電話をかけるための電話番号を提供してもよい。
2005513316.tif 000002
【特許請求の範囲】
【請求項１】
有効なアクセス・コードを受信して施錠構成の駆動を開始させるイネーブル信号を生成する、当該施錠構成に連結する、施錠デバイス制御手段と、
このような施錠デバイス制御手段にアクセス・コードを提供する施錠デバイス命令手段と、
を有するアクセス制御システムの作動方法であって、
当該作動方法が、
前記施錠デバイス制御手段で受信された、提供されたアクセス・コードが有効であるか否かを決定し、かつ、前記受信されたコードが有効な場合には、当該イネーブル信号を生成するステップを備え、他方、前記受信されたコードが有効でない場合には、前記作動方法が、更に、
そのようなコードが利用可能とされる場合に、前記施錠デバイス命令手段に、コード・データ格納部から有効なアクセス・コードを要求させるステップと、
前記施錠デバイス命令手段からのその有効なコードを前記施錠デバイス制御手段へ中継するステップとを備える、
アクセス制御システムの作動方法。
【請求項２】
当該施錠デバイス命令手段が、識別データを有しており、かつ、前記命令手段に、有効なアクセス・コードを要求させる当該ステップが、前記命令手段の識別データを当該データ格納部に転送するステップを含み、前記コード・データ格納部から前記命令手段への有効なアクセス・コードを利用可能にさせることが、受信された特定命令手段の識別データを条件とする請求項1に記載のアクセス制御システムの作動方法。
【請求項３】
当該施錠デバイス制御手段が、識別データ有しており、かつ、前記命令手段に、有効なアクセス・コードを要求させる当該ステップが、前記制御手段によって前記命令手段に与える前記制御手段の識別データを当該データ格納部に転送するステップを含み、
前記コード・データ格納部から前記命令手段への有効なアクセス・コードを利用可能にさせることが、受信された特定制御手段の識別データを条件とする請求項1または2に記載のアクセス制御システムの作動方法。
【請求項４】
前記有効な当該アクセス・コードは、時間依存である請求項1、2、または３に記載のアクセス制御システムの作動方法。
【請求項５】
さらに、前記施錠デバイス命令手段に、前記施錠デバイス制御手段から導出されるデータ格納部アクセス情報を提供するステップを備える請求項1から4のいずれかに記載のアクセス制御システムの作動方法。
【請求項６】
当該施錠デバイス制御手段と当該施錠デバイス命令手段との間の通信は、暗号化される請求項1から5のいずれかに記載のアクセス制御システムの作動方法。
【請求項７】
請求項1から5のいずれか一つの前記施錠デバイス制御手段の技術的特徴を有する装置。
【請求項８】
請求項1から6のいずれか一つの前記施錠デバイス命令手段の技術的特徴を有する装置。
【請求項９】
請求項1から6のいずれか一つの前記コード・データ格納部として機能するように構成されている情報格納システム。
【請求項１０】
請求項1から6のいずれか一つの方法を実施するために構成されているシステム。
【請求項１１】
施錠構成に連結するタイプの施錠デバイス制御手段に、アクセス・コードを提供するように設定されている施錠デバイス命令手段であって、
前記制御手段が、前記命令手段からの有効なアクセス・コードを受信すると当該施錠構成の駆動を開始させるイネーブル信号を生成するように構成されており、
前記命令手段が、その施錠デバイス制御手段に対する有効なアクセス・コードを、まだ所有していないと決定される場合には、当該施錠デバイス命令手段が、所定の制御手段に対する、コード・データ格納部から有効なアクセス・コードを要求する手段を備えた、
施錠デバイス命令手段。
【請求項１２】
施錠構成に連結する施錠デバイス制御手段であって、当該制御手段が、施錠デバイス命令手段から送信された有効なアクセス・コードを受信すると当該施錠構成の駆動を開始させるイネーブル信号を生成し、施錠デバイス制御手段が、前記命令手段に前記制御手段の識別データを示す通信手段を備える、施錠デバイス制御手段。
【発明の詳細な説明】
【技術分野】
【０００１】
本発明は、アクセス制御方法およびその方法を実施する装置に関する。
【背景技術】
【０００２】
既知のアクセス制御システムは、従来の、物理的な鍵が必要な機械式ドア錠、または、ユーザが、数の組み合わせをキーパッドへ入力するというような、アクセス・コードを入力することが必要なドア錠を含む。他の既知のタイプのアクセス制御システムには、ありふれたものとして、ユーザハンドヘルド無線送信機が、車両に取付けられているロック装置と通信する、車両施錠システムがある。このような構成は、特許文献1に記載されている。しかしながら、上記構成の使用は、適合した鍵あるいは送信機デバイスを忘れずに携帯しなければならない、また、侵入するためのアクセス・コードを忘れてはならないといった、いくつかの不自由を、権限付与者に強いることになる。さらに、上述したアクセス制御システムは、鍵、送信機デバイス、またはアクセス・コードを所持している者からの権限付与アクセスを、特定の時間、制限すると言うことは、困難であることが、不都合な点の一つである。
【０００３】
本発明の目的は、上述した問題に対処しようとする方法と装置を提供することである。
【０００４】
【特許文献１】米国特許第5134392号明細書
【発明の開示】
【課題を解決するための手段】
【０００５】
本発明の第1の態様によれば、有効なアクセス・コードを受信して施錠構成の駆動を開始するイネーブル信号を生成する、当該施錠構成に連結する施錠デバイス制御手段と、
このような施錠デバイス制御手段にアクセス・コードを提供する施錠デバイス命令手段と、
を有するアクセス制御システムの作動方法であって、
当該作動方法は、
前記施錠デバイス制御手段で受信される、提供されるアクセス・コードが有効であるか決定し、かつ、前記受信されるコードが有効な場合には、当該イネーブル信号を生成するステップと、そうでなければ、前記受信されたコードが有効でない場合には、前記作動方法は、更に、
結局そのようなコードが入手されるように、施錠デバイス命令手段による、コード・データ格納部から有効なアクセス・コードの要求を引き起こすステップと、
その有効なコードを、前記施錠デバイス命令手段から前記施錠デバイス制御手段へ中継するステップと、を備えるアクセス制御システムの作動方法が、提供される。
【０００６】
このような施錠デバイス命令手段は、自己完結型デバイスでもよいし、また、他のデバイスに組込まれた、あるいは、これに接続可能なデバイスでもよい。特に、施錠デバイス命令手段が、移動体遠距離通信装置に組込まれている場合には、人がこの移動体遠距離通信装置を携帯するときは、いつでも、個別の鍵がなくても、アクセス制御システムを作動させることが可能となる。人が、施錠デバイス制御手段に結合されている施錠構成が組み込まれているドアなどへのアクセスに近づくと、有効なアクセス・コードを保持する施錠デバイス命令手段を携帯する人に対しては、ドアを自動的に解錠させることが出来る。
【０００７】
施錠デバイス命令手段が、特定の施錠デバイス制御手段に対する、有効なアクセス・コードを有していない場合には、施錠デバイス命令手段は、コード・レジストリにアクセスして、有効なアクセス・コードを要求することができる。有効なアクセス・コードが設けられているか否かは、問題の施錠デバイス制御手段の識別に依存させることが出来る。このことは、一般に、施錠構成が取付けられた特定のドアに対応するであろう。さらに、有効なアクセス・コードが設けられているか否かは、問題の施錠デバイス命令手段の識別に依存させることが出来る。このことにより、施錠デバイス命令手段が取付けられた装置のユーザまたはユーザのグループを潜在的に示すことが出来る。
【０００８】
施錠デバイス命令手段が取付けられている特定のデバイスが、施錠構成の動作を開始させることが出来る時間を制限するために、いかなるアクセス・コードの有効性も、時間に依存させてもよい。これを、特定の個人が、たとえば、週日の勤務時間の間のみ、アクセスを獲得することができる時間を制限するために、行うことができる。また、これは、訪問客に、たとえば、特定の日のみアクセスを提供する場合に、必要となるかもしれないように、有限時間、アクセスを可能とするために、行うこともできる。
【０００９】
施錠デバイス制御手段は、たとえば、データ格納部にアクセスするために電話をかけるための電話番号といった、データ格納部アクセス情報を、施錠デバイス命令手段に提供してもよい。
【００１０】
施錠デバイス制御手段と施錠デバイス命令手段との間の通信は、アクセス・コードが不正に取得されないように、公開暗号化技術のような、適切な手段を用いて暗号化してもよい。暗号化を、施錠デバイス命令手段とデータ格納部との間で確立される通信に使用してもよい。
【００１１】
本発明のこれらの態様および他の態様と、オプションとしての特性とは、読者が次に参照し、かつ、本願明細書に組込まれている添付の特許請求の範囲に、現われている。
【発明を実施するための最良の形態】
【００１２】
つぎに、本発明について、添付の図面を参照して説明する。図1は、本発明を使用している装置の機能的な特性の模式図を示す。
【００１３】
電子ドア錠10は、錠駆動手段11と、錠駆動手段11にイネーブル信号を供給するための施錠デバイス制御手段12とを有している施錠構成を含む。施錠デバイス制御手段12は、無線周波数（RF）トランシーバ13を備えている。施錠デバイス命令手段20は、移動体電話機内に設けられていて、かつ、プロセッサ21と、トランシーバ13を介して施錠デバイス制御手段12との間で通信するための第1の無線周波数トランシーバ22と、命令手段識別データを保持するための第1のメモリ格納手段23と、特定の各種施錠デバイス制御手段12に対するアクセス・コードを保持するための第2のメモリ格納手段24と、有効なアクセス・コードが要求されるデータ格納部としての機能を果たすリモート・データベース30との間で通信するための第2の無線周波数トランシーバ手段25とを備えている。
【００１４】
第1のメモリ格納手段23と第2のメモリ格納手段24の一方または両方は、取り外し可能な素子として設けてもよい。取り外し可能な素子としては、たとえば、施錠デバイス命令手段設備または装置20によりイネーブル化される機器間に交換される、命令手段識別データおよび／またはアクセス・コードを含むことを可能とする、取り外し可能なカードを用いることができる。実際、全ての施錠デバイス命令手段20を、取り外し可能なタグとして設けてもよい。
【００１５】
使用に際しては、施錠デバイス命令手段20を装備する移動電話機ハンドセット（以下、「タグ20装備電話機」と称する。）を携帯する人が、電子ドア錠10に近づく。施錠デバイス制御器12は、無線周波数トランシーバ13を用いて、タグ20の第１の無線周波数トランシーバ22との間で確立されている、ショートレンジ・ワイヤレス通信リンクを介して、識別コードを送信する。タグ20は、受信された識別コードを処理し、施錠デバイス制御器12に戻って錠駆動手段11の駆動をイネーブル化させる、有効なアクセス・コードが、第2のメモリ格納手段24内に含まれているか否かを決定する。第2のメモリ格納手段24に有効なアクセス・コードが含まれているならば、有効なアクセス・コードが、タグ20から、第１の無線周波数トランシーバ22を用いて、施錠デバイス制御器12の無線周波数トランシーバ13に送信される。これにより、錠駆動手段11の駆動がイネーブル化され、ドア等の施錠メカニズムが作動する。この例では、特定の施錠デバイス制御器12を、その施錠デバイス制御器12に対する適切なアクセス・コードとともに、タグ20内に保持されている「即時のアクセス」リストに出現するものとさせることができる。これにより、即時のアクセスが付与される。
【００１６】
一方、タグ20が、受信した施錠デバイス制御器12の識別コードを処理し、かつ、施錠デバイス制御器12に戻す有効なアクセス・コードが、第2のメモリ格納手段24内には含まれていないと決定される場合には、タグ20のプロセッサ21は、第2の無線周波数トランシーバ25を活性化させ、安全性センター等の形式で提供されるリモート・データ格納部30との間で通信が行なわれ、かつ、有効なアクセス・コードが要求される。タグ20が、通信装置の一部である場合には、第2の無線周波数トランシーバ25を、その通信装置の素子としてもよい。この要求がなされる場合、タグ20は、第1のメモリ格納手段23に保持されている自身の識別データも提供する。安全性センターで、自動または手動で、照合が実行され、このような要求を発したタグ20に、有効なアクセス・コードを提供すべきであるか否かが決定される。さらに、タグ20は、安全性センターと、施錠デバイス制御器12の照合データの通信も行うので、特定のタグ20が、有効なアクセス・コードを受信すべきか否か、および、特定の施錠デバイス制御器12に、アクセス・コードを提供すべきか否かということも、決定することが可能になる。このようなアクセス・コードは、一般的に、有効期間が短いので、ユーザが、後に、タグ20によって施錠デバイス制御器12に戻っても、そのアクセス・コードは、もはや有効ではないであろう。
【００１７】
施錠デバイス制御器12は、権限付与コードを要求するために必要な情報を、タグ20に提供してもよい。このような情報は、たとえば、アクセス・コード・データ格納部30とコンタクトをとるべくダイヤルするための電話番号を含む。
【００１８】
このように、本システムは、通常のユーザに対して便利さを提供し、かつ、従来の鍵よりも、消失または盗難に対する安全性が高い。本システムは、サービスマンおよび配達人のような、たまにしか利用しないユーザにも適している。この場合、アクセスを、ある回数または特定の訪問に制限することが出来る。本システムは、システムを用いて、タグ20を追跡する能力も提供する。通常のユーザからのアクセスを、全て、書き込み、かつ安全性を破ろうとするいかなる試みも記録させることが出来る。
【００１９】
典型的には、施錠デバイス制御器12とタグ20との間で実行されるいかなるネゴシエーションも、採用される無線通信システムと、ユーザビリティと安全性の考察の点での優先度とに依存して、典型的には、数ミリメートルから数メートルのオーダーのショートレンジ・ワイヤレス通信リンク上で、行なわれるであろう。このリンクは、ここまで、トランシーバ13、22間のワイヤレス通信リンクとして記載されていたが、光赤外線リンクまたは超音波リンクなどの他のワイヤレス通信リンクを、施錠デバイス制御手段12と施錠デバイス命令手段20との間で使用してもよい。
【００２０】
施錠デバイス命令手段20は、当業者にとって明らかであるように、パーソナルデジタル情報機器、安全性無線機器、データ記録機器、またはウエアラブルなコンピューティング装置等の移動電話機以外の装置に設けることもできる。
【００２１】
本発明は、主として、人が建物内に侵入することを制限するために設置されている、物理的な安全性システムに関して記載されて来たが、これは、単なる例示であり、かつ、本発明の範囲を過度に限定するものとして判断されるべきではない。本発明は、コンピュータ端末、または、機械あるいは装置の動作のための他の制御コンソールのような構成にも使用されるという点に留意する必要がある。この場合、コンピュータ端末または他の制御コンソールは、施錠デバイス制御手段12に組み込まれるが、ロック活性化手段11は、物理的な鍵、または、電子機械のイネーブル化／ディセーブル化する機能のような、いくつかの他のアクセス制御構成を起動することもできる。このように、コンピュータ端末または他の制御コンソールの動作は、ユーザが、有効なアクセス・コード含むタグ20の形態とすることが出来る施錠デバイス制御手段20を所有していなければ不可能であろう。
【００２２】
本開示を読めば、他の変形例は、当業者にとって明らかである。このような変形例には、安全性アクセス・システム、通信、暗号化、アクセス・コードおよびコード・データ格納部構成、およびそれらの応用装置の、設計、製造、および使用において既に公知であり、かつ本願明細書に既に記載されている特性に代えてまたはこれらの特性に加えて使用することが出来る、他の特性を含めることも出来る。
【図面の簡単な説明】
【００２３】
【図１】本発明を使用している装置の機能的な特性の模式図を示す。
【符号の説明】
【００２４】
10  電子ドア錠
11  錠駆動手段
12  施錠デバイス制御手段
13  無線周波数（RF）トランシーバ
20  施錠デバイス命令手段
21  プロセッサ
22  第1の無線周波数トランシーバ
23  第1のメモリ格納手段
24  第2のメモリ格納手段
25  第2の無線周波数トランシーバ手段
30  リモート・データベース
【図１】
2005513316.tif 000003
【国際調査報告】
2005513316.tif 000004
2005513316.tif 000005
2005513316.tif 000006